(57)【要約】【課題】  複数系統の要求信号を受け取って、優先して用いる要求信号を切り換えることができる電源装置、及び照明システムを提供する。【解決手段】  電源装置１は、信号選択部１１と、信号生成回路１ｂと、を備える。信号選択部１１は、照明器具２の制御を要求する第１要求信号Ｓａ１及び第２要求信号Ｓａ２を受け取る。信号選択部１１は、第１要求信号Ｓａ１及び第２要求信号Ｓａ２のうちいずれか１系統の要求信号を、優先要求信号Ｓｂとして切り換え可能に選択する。信号生成回路１ｂは、照明器具２を駆動するための直流電圧Ｖ１に、優先要求信号Ｓｂに基づく伝送信号を含めた給電電圧Ｖ２を生成し、給電電圧Ｖ２を出力する。【選択図】図１
2020071931.tif 000002
【特許請求の範囲】
【請求項１】
負荷の制御を要求する少なくとも２系統の要求信号を受け取り、前記少なくとも２系統の要求信号のうちいずれか１系統の要求信号を、優先要求信号として切り換え可能に選択する信号選択部と、
前記負荷を駆動するための直流電圧に、前記優先要求信号に基づく伝送信号を含めた給電電圧を生成し、前記給電電圧を出力する信号生成回路と、を備える
電源装置。
【請求項２】
前記信号選択部は、前記少なくとも２系統の要求信号のうち１系統以上の要求信号の状態に基づいて、前記優先要求信号を選択する
請求項１記載の電源装置。
【請求項３】
前記少なくとも２系統の要求信号は、第１要求信号及び第２要求信号を含み、
前記信号選択部は、前記第１要求信号の状態に基づいて、前記優先要求信号を選択する
請求項２記載の電源装置。
【請求項４】
前記第１要求信号は、交流電圧の通電期間である導通角が可変に設定された位相制御電圧、又は前記位相制御電圧から生成された信号であり、
前記信号選択部は、前記導通角が閾値以上であれば、前記第１要求信号を前記優先要求信号として選択し、前記導通角が前記閾値未満であれば、前記第２要求信号を前記優先要求信号として選択する
請求項３記載の電源装置。
【請求項５】
前記少なくとも２系統の要求信号のうちいずれを前記優先要求信号として選択するかを指示する優先信号を受け取る受信部をさらに備え、
前記信号選択部は、前記優先信号に基づいて前記優先要求信号を選択する
請求項１記載の電源装置。
【請求項６】
前記少なくとも２系統の要求信号のうち１系統以上の要求信号は、前記少なくとも２系統の要求信号のうちいずれを前記優先要求信号として選択するかを指示する優先情報を含み、
前記信号選択部は、前記優先情報に基づいて前記優先要求信号を選択する
請求項１記載の電源装置。
【請求項７】
請求項１乃至６のいずれか一項の電源装置と、
前記電源装置から前記給電電圧を供給される負荷と、を備え、
前記負荷は、前記伝送信号を受け取る信号受信部を具備する
照明システム。
【発明の詳細な説明】
【技術分野】
【０００１】
本発明は、一般に、電源装置、及び照明システムに関する。
【背景技術】
【０００２】
従来、照明器具を制御する照明制御システムがある。例えば、特許文献１には、照明器具と、制御ユニットとを備える照明制御システムが開示されている。
【０００３】
制御ユニットには、伝送線を介して複数台の伝送アダプタがバス接続されており、制御ユニットと伝送アダプタとの間では低速電力線搬送通信により信号の送受信が行われる。各伝送アダプタには照明器具が接続されている。
【０００４】
また、制御ユニットには、別の伝送線を介して、制御ユニットとの間で多重伝送通信を行う端末器が接続されている。このような端末器として、スイッチの操作入力を監視する監視端末と、明るさセンサの検出結果を監視する監視端末と、人感センサの検出結果を監視する監視端末と、が接続されている。
【先行技術文献】
【特許文献】
【０００５】
【特許文献１】特開２０１５−６５１７７号公報
【発明の概要】
【発明が解決しようとする課題】
【０００６】
上述の特許文献１の制御ユニットには、スイッチの操作入力を監視する監視端末と、明るさセンサの検出結果を監視する監視端末と、人感センサの検出結果を監視する監視端末などの複数の監視端末が接続されている。すなわち、制御ユニットは、複数の監視端末のそれぞれから監視データを受け取る。
【０００７】
上述のように、特許文献１の制御ユニット（電源装置）は、複数系統の監視端末のそれぞれから監視データ（要求信号）を受け取るが、電力線搬送通信で送信する信号（伝送信号）を生成するために優先して用いる監視データを切り換えることができなかった。
【０００８】
そこで、本発明の目的とするところは、複数系統の要求信号を受け取って、優先して用いる要求信号を切り換えることができる電源装置、及び照明システムを提供することにある。
【課題を解決するための手段】
【０００９】
本発明の一態様に係る電源装置は、信号選択部と、信号生成回路と、を備える。前記信号選択部は、負荷の制御を要求する少なくとも２系統の要求信号を受け取り、前記少なくとも２系統の要求信号のうちいずれか１系統の要求信号を、優先要求信号として切り換え可能に選択する。前記信号生成回路は、前記負荷を駆動するための直流電圧に、前記優先要求信号に基づく伝送信号を含めた給電電圧を生成し、前記給電電圧を出力する。
【００１０】
本発明の一態様に係る照明システムは、上述の電源装置と、前記電源装置から前記給電電圧を供給される負荷と、を備え、前記負荷は、前記伝送信号を受け取る信号受信部を具備する。
【発明の効果】
【００１１】
以上説明したように、本発明では、複数系統の要求信号を受け取って、優先して用いる要求信号を切り換えることができるという効果がある。
【図面の簡単な説明】
【００１２】
【図１】図１は、実施形態に係る電源装置を備える照明システムを示すブロック図である。
【図２】図２は、同上の電源装置の情報取得部を示すブロック図である。
【図３】図３は、同上の電源装置が出力する給電電圧の波形を示す波形図である。
【図４】図４は、同上の点灯システムの照明器具を示すブロック図である。
【図５】図５は、同上の電源装置の信号選択部の動作を説明するタイムチャートである。
【図６】図６は、同上の電源装置の第１変形例を示すブロック図である。
【図７】図７は、同上の電源装置の第３変形例を示すブロック図である。
【図８】図８Ａは、同上の電源装置を備える照明器具を示す断面図である。図８Ｂは、同上の電源装置を備える別の照明器具を示す断面図である。
【発明を実施するための形態】
【００１３】
以下の実施形態は、一般に、電源装置、及び照明システムに関する。より詳細には、少なくとも２系統から負荷の制御を要求する要求信号を受け取ることができる電源装置、及び照明システムに関する。なお、以下に説明する実施形態は、本発明の実施形態の一例にすぎない。本発明は、以下の実施形態に限定されず、本発明の効果を奏することができれば、設計等に応じて種々の変更が可能である。
【００１４】
実施形態の電源装置、及び照明システムは、主に、住戸、オフィス、工場、又は店舗などで用いられる。住戸は、戸建住宅及び集合住宅のいずれでもよい。
【００１５】
以下、実施形態を図面に基づいて説明する。
【００１６】
本実施形態の照明システムＡ１は、図１に示すように、電源装置１、照明器具２、調光器３、及びセンサ端末４を備える。照明器具２は、電源装置１の負荷であり、屋外に設置されて、屋外の空間（照明空間）に光を照射する。調光器３は、屋内に設置され、照明器具２の調光レベルを調整するためのユーザの操作を受け付ける。すなわち、ユーザは、屋内に居ながらにして調光器３を操作することで、照明器具２の調光レベルを調整できる。センサ端末４は、屋外において照明器具２の照明空間に設置される。電源装置１は、図１では屋内に設置されているが、屋外に設置されてもよい。
【００１７】
電源装置１は、直流電源１ａ、信号生成回路１ｂ、主制御回路１ｃ、及び情報取得部１ｄを有する。
【００１８】
直流電源１ａは、商用電源９の交流電圧Ｖａ（交流電力）を入力されて、交流電圧Ｖａを直流電圧Ｖ１に変換する電力変換処理（ＡＣ／ＤＣ変換）を行う。直流電源１ａは、直流電圧Ｖ１の値を所定値に調整する昇降圧チョッパ、降圧チョッパ、又は昇圧チョッパで構成されることが好ましい。本実施形態では、直流電源１ａは、昇降圧チョッパ又は降圧チョッパで構成されており、直流電圧Ｖ１の値を２４Ｖとしているが、直流電圧Ｖ１の値は特定の値に限定されない。但し、直流電圧Ｖ１の値は安全の観点から、５０Ｖ以下であることが好ましい。なお、商用電源９は、周波数５０Ｈｚ又は６０Ｈｚの交流電源である。
【００１９】
信号生成回路１ｂは、直流電圧Ｖ１を入力され、直流電圧Ｖ１に伝送信号を含めた直流の給電電圧Ｖ２を生成する。そして、信号生成回路１ｂは、屋内から屋外に配設された一対の給電路Ｅ１、Ｅ２の間に、給電電圧Ｖ２を印加するように構成されている。
【００２０】
一対の給電路Ｅ１、Ｅ２の間には、少なくとも１つの照明器具２が接続されている。照明器具２は、電源装置１から一対の給電路Ｅ１、Ｅ２を介して給電電圧Ｖ２を印加され、電源装置１から一対の給電路Ｅ１、Ｅ２を介して負荷電流Ｉｏを供給される。つまり、照明器具２は、電源装置１を電源として動作する。電源装置１が照明器具２に供給する電力は直流電力であって、電源装置１から照明器具２への配電は直流配電である。照明器具２は、一対の給電路Ｅ１、Ｅ２を介して供給される直流電力によって点灯し、照明の対象となる屋外の空間（照明空間）を照明する。なお、図１では、一対の給電路Ｅ１、Ｅ２の間に１つの照明器具２が接続されているが、一対の給電路Ｅ１、Ｅ２の間には複数の照明器具２が接続されていてもよい。
【００２１】
調光器３は、商用電源９から供給される交流電圧Ｖａを位相制御して、第１位相制御電圧Ｖｂ１を生成する。第１位相制御電圧Ｖｂ１は情報取得部１ｄに入力される。つまり、調光器３は、第１位相制御電圧Ｖｂ１の半波毎の通電期間である導通角を調整する。本実施形態では、第１位相制御電圧Ｖｂ１の導通角が、調光器３による調光レベルの要求値を表す第１要求情報に相当する。調光器３は、例えば、ユーザによって操作される例えばロータリー式又はスライド式の調光操作部、及びトライアック又はトランジスタなどのスイッチ素子を具備する。調光器３では、ユーザが調光操作部を操作することで、スイッチ素子がオンオフし、第１位相制御電圧Ｖｂ１の導通角が調整される。
【００２２】
センサ端末４は、人感センサを有しており、照明器具２が光を照射する照明空間に設置される。人感センサは、照明空間における人の存在又は不在を検出する。センサ端末４は、交流電圧Ｖａを位相制御して、第２位相制御電圧Ｖｂ２を生成し、第２位相制御電圧Ｖｂ２は情報取得部１ｄに入力される。照明空間に人が存在する場合、センサ端末４は、導通角を例えばθ１（＞０度）に設定した第２位相制御電圧Ｖｂ２を生成する。照明空間に人が存在しない場合、センサ端末４は、導通角をθ２（＜θ１）に設定した第２位相制御電圧Ｖｂ２を生成する。すなわち、センサ端末４は、照明空間の人の存在、不在に応じて交流電圧Ｖａを位相制御して、第２位相制御電圧Ｖｂ２を生成する。第２位相制御電圧Ｖｂ２は情報取得部１ｄに入力される。第２位相制御電圧Ｖｂ２では、照明空間に人が存在する場合の導通角が、照明空間に人が存在しない場合の導通角に比べて大きくなる。例えば、照明空間に人が存在する場合の導通角θ１は１８０度に近い値であり、照明空間に人が存在しない場合の導通角θ２は０度に近い値である。但し、導通角θ１、θ２の具体的な値は、特定の値に限定されない。
【００２３】
つまり、センサ端末４は、第２位相制御電圧Ｖｂ２の半波毎の通電期間である導通角を調整する。本実施形態では、第２位相制御電圧Ｖｂ２の導通角が、センサ端末４による調光レベルの要求値を表す第２要求情報に相当する。センサ端末４は、トライアック又はトランジスタなどのスイッチ素子を具備する。センサ端末４では、人感センサの検出結果に基づいてスイッチ素子がオンオフし、第２位相制御電圧Ｖｂ２の導通角が調整される。
【００２４】
情報取得部１ｄは、調光器３から第１位相制御電圧Ｖｂ１を入力され、センサ端末４から第２位相制御電圧Ｖｂ２を入力される。図２は、情報取得部１ｄのブロック構成を示す。情報取得部１ｄは、整流回路１３ａ、１４ａ、及び位相検出回路１３ｂ、１４ｂを備える。
【００２５】
整流回路１３ａは、第１位相制御電圧Ｖｂ１を全波整流して、整流電圧を出力する。位相検出回路１３ｂは、ＰＷＭ（Pulse Width Modulation）回路１３１、及び平滑回路１３２を有する。ＰＷＭ回路１３１は、第１位相制御電圧Ｖｂ１の整流電圧と判定基準値とを比較することで、第１位相制御電圧Ｖｂ１の半波毎に、導通角の大きさに対応するオンデューティのＰＷＭ信号を出力する。平滑回路１３２は、ＰＷＭ回路１３１が出力するＰＷＭ信号を平滑して、第１要求信号Ｓａ１を生成し、第１要求信号Ｓａ１を主制御回路１ｃへ出力する。整流回路１３ａ及び位相検出回路１３ｂによって生成された第１要求信号Ｓａ１は、第１位相制御電圧Ｖｂ１の導通角が大きいほど、電圧値が大きい直流の電圧信号になる。すなわち、第１要求信号Ｓａ１は、調光器３による調光レベルの要求値が高いほど、電圧値が大きい直流の電圧信号になる。
【００２６】
整流回路１４ａは、第２位相制御電圧Ｖｂ２を全波整流して、整流電圧を出力する。位相検出回路１４ｂは、ＰＷＭ回路１４１、及び平滑回路１４２を有する。ＰＷＭ回路１４１は、第２位相制御電圧Ｖｂ２の整流電圧と判定基準値とを比較することで、第２位相制御電圧Ｖｂ２の半波毎に、導通角の大きさに対応するオンデューティのＰＷＭ信号を出力する。平滑回路１４２は、ＰＷＭ回路１４１が出力するＰＷＭ信号を平滑して、第２要求信号Ｓａ２を生成し、第２要求信号Ｓａ２を主制御回路１ｃへ出力する。整流回路１４ａ及び位相検出回路１４ｂによって生成された第２要求信号Ｓａ２は、第２位相制御電圧Ｖｂ２の導通角が大きいほど、電圧値が大きい直流の電圧信号になる。すなわち、第２要求信号Ｓａ２は、センサ端末４による調光レベルの要求値が高いほど、電圧値が大きい直流の電圧信号になる。
【００２７】
主制御回路１ｃは、図１に示すように、信号選択部１１、及び信号制御部１２を有する。
【００２８】
信号選択部１１は、第１要求信号Ｓａ１及び第２要求信号Ｓａ２を受け取る。そして、信号選択部１１は、第１要求信号Ｓａ１及び第２要求信号Ｓａ２のいずれかを優先要求信号Ｓｂとして選択する。すなわち、優先要求信号Ｓｂは、第１要求信号Ｓａ１又は第２要求信号Ｓａ２であり、優先要求信号Ｓｂによる調光レベルの要求値が高いほど、電圧値が大きい直流の電圧信号になる。この信号選択部１１の選択処理については後述する。
【００２９】
信号制御部１２は、優先要求信号Ｓｂを受け取り、優先要求信号Ｓｂの値（電圧値）に基づいて、伝送制御信号Ｓｃを生成し、伝送制御信号Ｓｃを信号生成回路１ｂへ出力する。伝送制御信号Ｓｃは、信号生成回路１ｂを制御するための信号である。信号生成回路１ｂは、伝送制御信号Ｓｃに基づいて給電電圧Ｖ２の波形を変化させることで、伝送信号を含む給電電圧Ｖ２を生成する。伝送信号は、優先要求信号Ｓｂによる調光レベルの要求値の情報を含む。
【００３０】
本実施形態の主制御回路１ｃは、コンピュータを備えている。このコンピュータがプログラムを実行することによって、主制御回路１ｃの一部又は全部の機能が実現される。コンピュータは、プログラムに従って動作するプロセッサを主なハードウェア構成として備える。プロセッサは、プログラムを実行することによって機能を実現することができれば、その種類は問わない。プロセッサは、半導体集積回路（ＩＣ）、又はＬＳＩ（large scale integration）を含む一つ又は複数の電子回路で構成される。ここでは、ＩＣやＬＳＩと呼んでいるが、集積の度合いによって呼び方が変わり、システムＬＳＩ、ＶＬＳＩ(very large scale integration)、若しくはＵＬＳＩ(ultra large scale integration) と呼ばれるものであってもよい。ＬＳＩの製造後にプログラムされる、フィールド・プログラマブル・ゲート・アレイ(FPGA)、又はＬＳＩ内部の接合関係の再構成又はＬＳＩ内部の回路区画のセットアップができる再構成可能な論理デバイスも同じ目的で使うことができる。複数の電子回路は、一つのチップに集積されてもよいし、複数のチップに設けられてもよい。複数のチップは一つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００３１】
信号生成回路１ｂは、トランジスタなどのスイッチ素子を有し、優先要求信号Ｓｂに基づいてスイッチ素子がオン、オフすることで、直流電圧Ｖ１から給電電圧Ｖ２を生成する。給電電圧Ｖ２の波形の一例を図３に示す。図３の給電電圧Ｖ２は、一定の周期Ｔ１内で、給電電圧Ｖ２の値を第１値Ｖ２１及び第２値Ｖ２２のいずれかに切り換える。第１値Ｖ２１は、直流電圧Ｖ１の電圧値とほぼ同じであり、第２値Ｖ２２は、第１値Ｖ２１より小さい。
【００３２】
周期Ｔ１内で給電電圧Ｖ２の値が第１値Ｖ２１になる期間をオン期間Ｔｏｎとし、周期Ｔ１内で給電電圧Ｖ２の値が第２値Ｖ２２になる期間をオフ期間Ｔｏｆｆとする。そして、周期Ｔ１に対するオン期間Ｔｏｎの割合［Ｔｏｎ／Ｔ１］をオンデューティと呼ぶ。また、周期Ｔ１に対するオフ期間Ｔｏｆｆの割合［Ｔｏｆｆ／Ｔ１］をオフデューティと呼ぶ。この場合、信号制御部１２は、優先要求信号Ｓｂによる調光レベルの要求値が高いほど、給電電圧Ｖ２のオンデューティ［Ｔｏｎ／Ｔ１］を大きくするＰＷＭ変調を信号生成回路１ｂに行わせることが好ましい。この場合、調光レベルの要求値は、給電電圧Ｖ２のオンデューティ［Ｔｏｎ／Ｔ１］によって表される。
【００３３】
また、伝送信号は、複数ビットで構成されるビット列信号であってもよい。例えば、給電電圧Ｖ２の値が第１値Ｖ２１であれば、ビット値は「１」になり、給電電圧Ｖ２の値が第２値Ｖ２２であれば、ビット値は「０」になる。また、給電電圧Ｖ２の値が第１値Ｖ２１であれば、ビット値は「０」になり、給電電圧Ｖ２の値が第２値Ｖ２２であれば、ビット値は「１」になってもよい。この場合、信号制御部１２は、優先要求信号Ｓｂによる調光レベルの要求値に応じて、給電電圧Ｖ２の振幅変調を信号生成回路１ｂに行わせる。調光レベルの要求値は、時系列に並んだ複数のビットのそれぞれが「０」又は「１」の値をとるビット列で表される。
【００３４】
また、伝送信号は、第１値Ｖ２１から第２値Ｖ２２への立ち下がり及び第２値Ｖ２２から第１値Ｖ２１への立ち上がりの一方をビット値「１」に割り当て、他方をビット値「０」に割り当ててもよい。この場合も、調光レベルの要求値は、各ビットが「０」又は「１」の値をとるビット列で表される。
【００３５】
なお、給電電圧Ｖ２における伝送信号の変調方法は、上記の各方法に限定されず、他の変調方法であってもよい。
【００３６】
給電電圧Ｖ２の第２値［Ｖ２２］は、第１値［Ｖ２１］よりも小さいが、０Ｖよりは大きい。さらに、給電電圧Ｖ２の第２値［Ｖ２２］は、照明器具２（特に、後述の点灯装置２ａ）の動作を可能にする大きさである。したがって、電源装置１は、給電電圧Ｖ２のオンデューティ［Ｔｏｎ／Ｔ１］が小さい場合でも、照明器具２を動作させるのに十分な電力を照明器具２へ供給することができる。
【００３７】
照明器具２は、図４に示すように、点灯装置２ａ、及び光源２ｂを備える。点灯装置２ａは、信号受信部２０１、及び点灯回路２０２を具備する。光源２ｂは、複数の固体発光素子を有している。本実施形態において複数の固体発光素子の各々は、ＬＥＤ（Light Emitting Diode）であり、複数の固体発光素子は、直列接続されている。
【００３８】
なお、光源２ｂは、固体発光素子としてＬＥＤを有する構成に限らない。光源２ｂは、例えば、有機ＥＬ（Organic Electro Luminescence、OEL）、又は半導体レーザダイオード（Laser Diode、LD）などの他の固体発光素子を有していてもよい。また、固体発光素子の数は、複数に限らず、１つであってもよい。複数の固体発光素子の電気的な接続関係は直列接続であるが、この接続関係に限らない。複数の固体発光素子の電気的な接続関係は、並列接続であってもよいし、直列接続と並列接続とを組み合わせた接続関係であってもよい。
【００３９】
信号受信部２０１は、一対の給電路Ｅ１、Ｅ２の給電電圧Ｖ２を監視しており、給電電圧Ｖ２の電圧値を閾値と比較することで、調光レベルの要求値の情報を伝送信号から読み取ることができる。
【００４０】
例えば、信号受信部２０１は、伝送信号がＰＷＭ変調されている場合、給電電圧Ｖ２の電圧値の変化に基づいて、給電電圧Ｖ２のオンデューティ［Ｔｏｎ／Ｔ１］を検出する（読み取る）ことができる。信号受信部２０１は、給電電圧Ｖ２のオンデューティ［Ｔｏｎ／Ｔ１］に応じた点灯信号Ｓｄを点灯回路２０２へ出力する。点灯信号Ｓｄは、給電電圧Ｖ２のオンデューティ［Ｔｏｎ／Ｔ１］が大きいほど、高い調光レベルでの点灯を点灯回路２０２へ指示する。
【００４１】
また、信号受信部２０１は、伝送信号が振幅変調されている場合、給電電圧Ｖ２の電圧値に基づいて、伝送信号のビット列を検出する（読み取る）ことができる。信号受信部２０１は、伝送信号のビット列に応じた点灯信号Ｓｄを点灯回路２０２へ出力する。点灯信号Ｓｄは、点灯回路２０２へ調光レベルを指示する。
【００４２】
点灯回路２０２は、一対の給電路Ｅ１、Ｅ２から給電電圧Ｖ２を入力されて、光源２ｂに点灯電流を供給して光源２ｂを点灯させる。点灯回路２０２は、光源２ｂに供給する点灯電流の値を目標電流値に一致させるように、定電流制御を行う。点灯回路２０２は、点灯信号Ｓｄによって指示された調光レベルに対応する目標電流値を設定する。すなわち、点灯回路２０２は、光源２ｂを点灯信号Ｓｄによって指示された調光レベルに調光する。点灯回路２０２は、例えば、レギュレータ、降圧コンバータ、又は昇圧コンバータなどを有することが好ましい。
【００４３】
以下、信号選択部１１の選択処理について。図５を用いて説明する。図５の上段は、第１要求信号Ｓａ１及び第２要求信号Ｓａ２の各電圧波形を示す。図５の下段は、照明器具２の調光レベルＬｅ１の変化を示す。
【００４４】
図５の上段において、調光下限レベルＶｘ、及び消灯レベルＶｙは、切換レベルＶｒより高い電圧値に設定されている。さらに、調光下限レベルＶｘは、消灯レベルＶｙより高い電圧値に設定されている。優先要求信号Ｓｂの電圧値が低下し、調光下限レベルＶｘに達すると、照明器具２の調光レベルＬｅ１は下限値になる。優先要求信号Ｓｂの電圧値が、調光下限レベルＶｘ以下で、かつ、消灯レベルＶｙより高ければ、照明器具２の調光レベルＬｅ１は調光下限値Ｚ１（図５の下段）を維持する。優先要求信号Ｓｂの電圧値が消灯レベルＶｙ以下になると、照明器具２は消灯する。主制御回路１ｃは、切換レベルＶｒ、調光下限レベルＶｘ、及び消灯レベルＶｙの各データをメモリに予め格納しており、信号選択部１１及び信号制御部１２は、メモリに格納されている各データを参照する。
【００４５】
信号選択部１１は、第１要求信号Ｓａ１及び第２要求信号Ｓａ２を受け取る。そして、信号選択部１１は、第１要求信号Ｓａ１の値に基づいて、第１要求信号Ｓａ１及び第２要求信号Ｓａ２のいずれを優先要求信号Ｓｂとして選択するかを決定する。具体的に、信号選択部１１は、第１要求信号Ｓａ１の電圧値が切換レベルＶｒ以上であれば、第１要求信号Ｓａ１を優先要求信号Ｓｂとして選択する。また、信号選択部１１は、第１要求信号Ｓａ１の電圧値が切換レベルＶｒ未満であれば、第２要求信号Ｓａ２を優先要求信号Ｓｂとして選択する。すなわち、信号選択部１１は、第１位相制御電圧Ｖｂ１の導通角が閾値（切換レベルＶｒに対応する値）以上であれば、第１要求信号Ｓａ１を優先要求信号Ｓｂとして選択する。また、信号選択部１１は、第１位相制御電圧Ｖｂ１の導通角が閾値未満であれば、第２要求信号Ｓａ２を優先要求信号Ｓｂとして選択する。したがって、第１要求信号Ｓａ１の電圧値が切換レベルＶｒ以上であれば、照明器具２の調光レベルＬｅ１は、第１要求信号Ｓａ１（調光器３の操作）によって決まる。また、第１要求信号Ｓａ１の電圧値が切換レベルＶｒ未満であれば、照明器具２の調光レベルＬｅ１は、第２要求信号Ｓａ２（センサ端末４の検出結果）によって決まる。
【００４６】
図５では、時間ｔ０において、第１要求信号Ｓａ１の電圧値が切換レベルＶｒ以上である。したがって、時間ｔ０において、照明器具２の調光レベルＬｅ１は、第１要求信号Ｓａ１によって決まる。このとき、照明空間には人が存在しておらず、第２要求信号Ｓａ２の電圧値はＶＬｏである。電圧値ＶＬｏは、切換レベルＶｒより低い。
【００４７】
調光器３がユーザによって調光レベルＬｅ１を低下させる方向に操作されると、時間ｔ０以降の第１要求信号Ｓａ１の電圧値は徐々に低下する。この結果、照明器具２の調光レベルＬｅ１も徐々に低下する。そして、時間ｔ１において第１要求信号Ｓａ１の電圧値が調光下限レベルＶｘにまで低下すると、照明器具２の調光レベルＬｅ１は調光下限値Ｚ１にまで低下する。その後、第１要求信号Ｓａ１の電圧値は引き続き徐々に低下するが、照明器具２の調光レベルＬｅ１は調光下限値Ｚ１を維持する。時間ｔ２において第１要求信号Ｓａ１の電圧値が消灯レベルＶｙにまで低下すると、照明器具２は消灯する。照明器具２が消灯した後、時間ｔ３において照明空間に人が進入すると、第２要求信号Ｓａ２の電圧値は、ＶＬｏからＶＨｉに増加する。電圧値ＶＨｉは、切換レベルＶｒより高い。しかし、第１要求信号Ｓａ１の電圧値は切換レベルＶｒ以上であり、優先要求信号Ｓｂは第１要求信号Ｓａ１である。したがって、優先要求信号Ｓｂでない第２要求信号Ｓａ２の変化は、照明器具２の調光レベルＬｅ１に反映されない。
【００４８】
その後、第１要求信号Ｓａ１の電圧値が引き続き徐々に低下し、時間ｔ４において第１要求信号Ｓａ１の電圧値が切換レベルＶｒ未満になると、信号選択部１１は、第２要求信号Ｓａ２を優先要求信号Ｓｂとして選択する。このとき、第２要求信号Ｓａ２の電圧値はＶＨｉであり、照明器具２は、第２要求信号Ｓａ２の電圧値ＶＨｉに応じた調光レベルＬｅ１に制御される。そして、時間ｔ５において照明空間から人が離脱すると、第２要求信号Ｓａ２の電圧値は、ＶＨｉからＶＬｏに減少する。この結果、照明器具２は、消灯する。
【００４９】
その後、時間ｔ６において調光器３がユーザによって調光レベルＬｅ１を増加させる方向に操作されると、時間ｔ６以降の第１要求信号Ｓａ１の電圧値は徐々に増加する。しかし、第１要求信号Ｓａ１の電圧値は切換レベルＶｒ未満であり、優先要求信号Ｓｂは第２要求信号Ｓａ２である。したがって、優先要求信号Ｓｂでない第１要求信号Ｓａ１の変化は、照明器具２の調光レベルＬｅ１に反映されない。
【００５０】
そして、時間ｔ７において第１要求信号Ｓａ１の電圧値が切換レベルＶｒ以上になると、信号選択部１１は、第１要求信号Ｓａ１を優先要求信号Ｓｂとして選択する。このとき、第１要求信号Ｓａ１の電圧値は消灯レベルＶｙ以下であり、照明器具２は消灯している。
【００５１】
その後、第１要求信号Ｓａ１の電圧値が引き続き徐々に増加し、時間ｔ８において第１要求信号Ｓａ１の電圧値が消灯レベルＶｙを上回ると、照明器具２の調光レベルＬｅ１は調光下限値Ｚ１に制御される。そして、第１要求信号Ｓａ１の電圧値が引き続き徐々に増加し、時間ｔ９において第１要求信号Ｓａ１の電圧値が調光下限レベルＶｘを上回ると、照明器具２の調光レベルＬｅ１は調光下限値Ｚ１から徐々に増加する。
【００５２】
上述のように、信号選択部１１は、第１要求信号Ｓａ１の電圧値に基づいて、第１要求信号Ｓａ１及び第２要求信号Ｓａ２のいずれかを優先要求信号Ｓｂとして選択する。したがって、電源装置１は、複数系統の要求信号（第１要求信号Ｓａ１、及び第２要求信号Ｓａ２）を受け取って、照明器具２の制御に優先して用いる要求信号（優先要求信号Ｓｂ）を切り換えることができる。
【００５３】
本実施形態では、調光器３は屋内に設置されており、ユーザは屋内に居ながらにして、調光器３を操作することで、照明器具２の調光レベルを調整できる。さらに、ユーザは、調光器３の操作によって第１要求信号Ｓａ１の電圧値を切換レベルＶｒ未満に低下させることで、センサ端末４の検出結果に基づいた照明器具２の調光制御を実行させることができる。
【００５４】
なお、信号選択部１１は、第２要求信号Ｓａ２の電圧値に基づいて、第１要求信号Ｓａ１及び第２要求信号Ｓａ２のいずれかを優先要求信号Ｓｂとして選択してもよい。
【００５５】
また、電源装置１から情報取得部１ｄを削除して、信号選択部１１は、第１位相制御電圧Ｖｂ１及び第２位相制御電圧Ｖｂ２それぞれを、第１要求信号及び第２要求信号として受け取ってもよい。この場合、信号選択部１１は、第１位相制御電圧Ｖｂ１の導通角に基づいて、第１位相制御電圧Ｖｂ１及び第２位相制御電圧Ｖｂ２のいずれかを優先要求信号Ｓｂとして選択する。
【００５６】
また、調光器３が第１要求信号Ｓａ１を出力し、センサ端末４が第２要求信号Ｓａ２を出力する構成でもよい。調光器３及びセンサ端末４から電源装置１への信号伝送は、有線通信及び無線通信のいずれであってもよい。有線通信は、ツイストペアケーブル、専用通信線、又はＬＡＮ（Local Area Network）ケーブルなどを介して行われる。無線通信は、無線ＬＡＮ、小電力無線、又は赤外線通信などによって行われる。
【００５７】
また、第１要求信号Ｓａ１及び第２要求信号Ｓａ２は、ＰＷＭ信号を平滑した直流の電圧信号に限定されず、ＰＷＭ信号、アナログ変調された信号、又はデジタル変調された信号であってもよい。
【００５８】
また、信号選択部１１は、３系統以上の要求信号を受け取って、３系統以上の要求信号のいずれかを優先要求信号Ｓｂとして選択してもよい。
【００５９】
また、センサ端末４は、照明空間の照度を検出する照度センサを備える構成であってもよい。この場合、センサ端末４は、検出した照度が低いほど、導通角が大きい位相制御電圧Ｖｂ２を出力する。そして、第２要求信号Ｓａ２が優先要求信号Ｓｂである場合、照明空間の照度が低いほど、照明器具２の調光レベルが高くなる。
【００６０】
また、電源装置１の負荷は、照明器具２以外であってもよく、例えば空調機器、又はモータを有する機器などであってもよい。この場合、伝送信号によって、空調機器の設定温度、空調機器の出力、又はモータの回転速度などが制御される。
【００６１】
（第１変形例）
図６は、第１変形例の電源装置１の構成を示す。
【００６２】
第１変形例の電源装置１は、受信部１ｅをさらに備える。受信部１ｅは、コントローラ５から優先信号を受け取ることができる。優先信号は、第１要求信号Ｓａ１及び第２要求信号Ｓａ２のうちいずれを優先要求信号Ｓｂとして選択するかを指示するための情報を含む。コントローラ５から受信部１ｅへの信号伝送は、有線通信及び無線通信のいずれであってもよい。有線通信は、ツイストペアケーブル、専用通信線、又はＬＡＮ（Local Area Network）ケーブルなどを介して行われる。無線通信は、無線ＬＡＮ、小電力無線、又は赤外線通信などによって行われる。
【００６３】
信号選択部１１は、受信部１ｅが受信した優先信号に基づいて、第１要求信号Ｓａ１及び第２要求信号Ｓａ２のいずれかを優先要求信号Ｓｂとして選択する。コントローラ５は、専用端末、スマートフォン、タブレット端末、又はパーソナルコンピュータなどで構成される。
【００６４】
例えば、屋内にユーザが存在する場合、ユーザは、第１要求信号Ｓａ１を優先要求信号Ｓｂとする優先情報を含む優先信号を、コントローラ５から送信させる。また、屋内のユーザが外出する場合、ユーザは、第２要求信号Ｓａ２を優先要求信号Ｓｂとする優先情報を含む優先信号を、コントローラ５から送信させる。したがって、屋内にユーザが存在する場合、ユーザは調光器３を操作することで、屋外の照明器具２の調光レベルを調整できる。ユーザが外出しているときに、屋外のセンサ端末４が照明空間における人の存在を検出すると、電源装置１は、屋外の照明器具２を点灯させ、屋外のセンサ端末４が照明空間における人の不在を検出すると、屋外の照明器具２を消灯（又は減光）させる。
【００６５】
したがって、電源装置１は、複数系統の要求信号（第１要求信号Ｓａ１、及び第２要求信号Ｓａ２）を受け取って、照明器具２の制御に優先して用いる要求信号（優先要求信号Ｓｂ）を切り換えることができる。
【００６６】
（第２変形例）
第２変形例の電源装置１について、以下に説明する。
【００６７】
第２変形例では、第１要求信号Ｓａ１に優先情報が含まれる。
【００６８】
例えば、調光器３に照明器具２の点灯及び消灯を切り換える点灯スイッチが設けられている。そして、第１要求信号Ｓａ１が優先要求信号Ｓｂであれば、点灯スイッチのオン操作によって照明器具２が点灯する（このときの調光レベルは、調光器３の調光操作部によって調整される）。また、第１要求信号Ｓａ１が優先要求信号Ｓｂであれば、点灯スイッチのオフ操作によって照明器具２が消灯する。ユーザは、優先要求信号Ｓｂを第１要求信号Ｓａ１から第２要求信号Ｓａ２に切り換える場合、及び優先要求信号Ｓｂを第２要求信号Ｓａ２から第１要求信号Ｓａ１に切り換える場合、点灯スイッチを操作する。一例として、ユーザが点灯スイッチをオン操作、オフ操作、オン操作の順に操作する。
【００６９】
ユーザが点灯スイッチをオン操作、オフ操作、オン操作の順に操作すると、第１要求信号Ｓａ１の電圧値が、一瞬低下する。信号選択部１１は、第１要求信号Ｓａ１の電圧値が所定値以下にまで低下する期間が、予め決められた時間範囲内であれば、優先要求信号Ｓｂを第１要求信号Ｓａ１及び第２要求信号Ｓａ２の一方から他方に切り換える。すなわち、点灯スイッチの上記操作が行われる毎に、優先要求信号Ｓｂは、第１要求信号Ｓａ１又は第２要求信号Ｓａ２に交互に切り換えられる。
【００７０】
したがって、電源装置１は、複数系統の要求信号（第１要求信号Ｓａ１、及び第２要求信号Ｓａ２）を受け取って、照明器具２の制御に優先して用いる要求信号（優先要求信号Ｓｂ）を切り換えることができる。
【００７１】
（第３変形例）
図７は、第３変形例の電源装置１の構成を示す。
【００７２】
第３変形例の電源装置１の主制御回路１ｃは、タイマ１３をさらに備える。タイマ１３は、時刻を計時することができる。
【００７３】
主制御回路１ｃは、スケジュール情報をメモリに予め格納している。スケジュール情報では、例えば２４時間単位で、第１要求信号Ｓａ１を優先要求信号Ｓｂとする第１時間帯、及び第２要求信号Ｓａ２を優先要求信号Ｓｂとする第２時間帯がそれぞれ設定されている。
【００７４】
例えば、屋内にユーザが存在する可能性が高い夜間、及び早朝の時間帯は、第１要求信号Ｓａ１を優先要求信号Ｓｂとする第１時間帯に設定される。また、ユーザが外出する可能性が高い昼間、及び夕方の時間帯は、第２要求信号Ｓａ２を優先要求信号Ｓｂとする第２時間帯に設定される。信号選択部１１は、スケジュール情報に基づいて、第１要求信号Ｓａ１及び第２要求信号Ｓａ２のいずれかを優先要求信号Ｓｂとして選択する。
【００７５】
したがって、電源装置１は、複数系統の要求信号（第１要求信号Ｓａ１、及び第２要求信号Ｓａ２）を受け取って、照明器具２の制御に優先して用いる要求信号（優先要求信号Ｓｂ）を切り換えることができる。
【００７６】
（照明器具）
図８Ａは、天井パネル８に埋込配設されるダウンライトである照明器具２Ａを示す。照明器具２Ａは、上述の点灯装置２ａと、上述の光源２ｂと、筐体６１、６２とを備える。筐体６１は、アルミニウムなどの金属によって、上面が閉塞され、下面が開口した有底の円筒形状に形成されている。筐体６１は光源２ｂを支持し、筐体６１の上底面には、光源２ｂが取り付けられている。光源２ｂは、基板上に複数のＬＥＤが実装されている。また、筐体６１の下面開口は円板状のカバー６３で閉塞されている。カバー６３は、ガラス又はポリカーボネートなどの透光性材料で形成されている。点灯装置２ａは、矩形箱状に形成された金属製の筐体６２に収納され、筐体６２に支持されており、天井パネル８の上面に配置されている。点灯装置２ａは、電気ケーブル７１及びコネクタ７２を介して光源２ｂに電気的に接続されている。
【００７７】
図８Ｂは、天井パネル８に埋込配設される別のダウンライトである照明器具２Ｂを示す。照明器具２Ｂは、上述の点灯装置２ａと、上述の光源２ｂと、筐体６４とを備える。筐体６４は、アルミニウムなどの金属によって、上面が閉塞され、下面が開口した有底の円筒形状に形成されている。筐体６４の下面開口は、円板状のカバー６５で閉塞されている。カバー６５は、ガラス又はポリカーボネートなどの透光性材料で形成されている。筐体６４内は、円板状の仕切板６６によって上下に分割されている。仕切板６６の上面側には、点灯装置２ａが配置されており、筐体６４は点灯装置２ａを支持している。仕切板６６の下面には、光源２ｂが配置されている。点灯装置２ａは、仕切板６６の通線孔６７を通る電気ケーブル７３によって、光源２ｂと電気的に接続されている。
【００７８】
以上のように、実施形態に係る第１の態様の電源装置（１）は、信号選択部（１１）と、信号生成回路（１ｂ）と、を備える。信号選択部（１１）は、負荷（照明器具２）の制御を要求する少なくとも２系統の要求信号（第１要求信号Ｓａ１、第２要求信号Ｓａ２）を受け取る。信号選択部（１１）は、少なくとも２系統の要求信号（Ｓａ１、Ｓａ２）のうちいずれか１系統の要求信号を、優先要求信号（Ｓｂ）として切り換え可能に選択する。信号生成回路（１ｂ）は、負荷（２）を駆動するための直流電圧（Ｖ１）に、優先要求信号（Ｓｂ）に基づく伝送信号を含めた給電電圧（Ｖ２）を生成し、給電電圧（Ｖ２）を出力する。
【００７９】
上述の電源装置（１）は、複数系統の要求信号（Ｓａ１、Ｓａ２）を受け取って、負荷（２）の制御に優先して用いる要求信号（優先要求信号Ｓｂ）を切り換えることができる。
【００８０】
また、実施形態に係る第２の態様の電源装置（１）では、第１の態様において、信号選択部（１１）は、少なくとも２系統の要求信号（Ｓａ１、Ｓａ２）のうち１系統以上の要求信号の状態に基づいて、優先要求信号（Ｓｂ）を選択することが好ましい。
【００８１】
上述の電源装置（１）は、複数系統の要求信号（Ｓａ１、Ｓａ２）を受け取って、負荷（２）の制御に優先して用いる要求信号（優先要求信号Ｓｂ）を切り換えることができる。
【００８２】
また、実施形態に係る第３の態様の電源装置（１）では、第２の態様において、少なくとも２系統の要求信号（Ｓａ１、Ｓａ２）は、第１要求信号（Ｓａ１）及び第２要求信号（Ｓａ２）を含む。信号選択部（１１）は、第１要求信号（Ｓａ１）の状態に基づいて、優先要求信号（Ｓｂ）を選択することが好ましい。
【００８３】
上述の電源装置（１）は、要求信号（Ｓａ１）に基づいて、負荷（２）の制御に優先して用いる要求信号（優先要求信号Ｓｂ）を切り換えることができる。
【００８４】
また、実施形態に係る第４の態様の電源装置（１）では、第３の態様において、第１要求信号（Ｓａ１）は、交流電圧（Ｖａ）の通電期間である導通角が可変に設定された位相制御電圧（Ｖｂ１）、又は位相制御電圧（Ｖｂ１）から生成された信号である。信号選択部（１１）は、導通角が閾値以上であれば、第１要求信号（Ｓａ１）を優先要求信号（Ｓｂ）として選択し、導通角が閾値未満であれば、第２要求信号（Ｓａ２）を優先要求信号（Ｓｂ）として選択することが好ましい。
【００８５】
上述の電源装置（１）は、位相制御電圧（Ｖｂ１）の導通角に応じて、負荷（２）の制御に優先して用いる要求信号（優先要求信号Ｓｂ）を切り換えることができる。
【００８６】
また、実施形態に係る第５の態様の電源装置（１）では、第１の態様において、少なくとも２系統の要求信号（Ｓａ１、Ｓａ２）のうちいずれを優先要求信号（Ｓｂ）として選択するかを指示する優先信号を受け取る受信部（１ｅ）をさらに備えることが好ましい。信号選択部（１１）は、優先信号に基づいて優先要求信号（Ｓｂ）を選択する。
【００８７】
上述の電源装置（１）は、優先信号に応じて、負荷（２）の制御に優先して用いる要求信号（優先要求信号Ｓｂ）を切り換えることができる。
【００８８】
また、実施形態に係る第６の態様の電源装置（１）では、第１の態様において、少なくとも２系統の要求信号（Ｓａ１、Ｓａ２）のうち１系統以上の要求信号は、少なくとも２系統の要求信号（Ｓａ１、Ｓａ２）のうちいずれを優先要求信号（Ｓｂ）として選択するかを指示する優先情報を含むことが好ましい。信号選択部（１１）は、優先情報に基づいて優先要求信号（Ｓｂ）を選択する。
【００８９】
上述の電源装置（１）は、優先情報に応じて、負荷（２）の制御に優先して用いる要求信号（優先要求信号Ｓｂ）を切り換えることができる。
【００９０】
また、実施形態に係る第７の態様の照明システム（Ａ１）は、第１乃至第６の態様のいずれか１つの電源装置（１）と、電源装置（１）から給電電圧（Ｖ２）を供給される負荷（照明器具２）と、を備える。負荷（２）は、伝送信号を受け取る信号受信部（２０１）を具備する。
【００９１】
上述の照明システム（Ａ１）では、電源装置（１）は、複数系統の要求信号（Ｓａ１、Ｓａ２）を受け取って、負荷（２）の制御に優先して用いる要求信号（優先要求信号Ｓｂ）を切り換えることができる。
【００９２】
また、上述の実施形態及び変形例は一例である。このため、本発明は、上述の実施形態及び変形例に限定されることはなく、この実施形態及び変形例以外であっても、本発明に係る技術的思想を逸脱しない範囲であれば、設計等に応じて種々の変更が可能であることは勿論である。
【符号の説明】
【００９３】
１  電源装置
１１  信号選択部
１ｂ  信号生成回路
１ｅ  受信部
２（２Ａ、２Ｂ）  照明器具（負荷）
Ａ１  照明システム
Ｓａ１  第１要求信号（要求信号）
Ｓａ２  第２要求信号（要求信号）
Ｓｂ  優先要求信号
Ｖ１  直流電圧
Ｖ２  給電電圧
Ｖａ  交流電圧
Ｖｂ１  位相制御電圧
【図１】
2020071931.tif 000003
【図２】
2020071931.tif 000004
【図３】
2020071931.tif 000005
【図４】
2020071931.tif 000006
【図５】
2020071931.tif 000007
【図６】
2020071931.tif 000008
【図７】
2020071931.tif 000009
【図８】
2020071931.tif 000010